(57)【要約】      （修正有）【課題】ラミネートされたフィルムよりなる包装シートの袋体で構成される四面立体包装体において、袋体に対向して配置されそれぞれが人為的に引き裂き可能な引き裂き部を容易に形成した四面立体包装体を提供する。【解決手段】袋体は上面開口部、前記上面開口部に対向する前記袋体の下面に下面シームｓｍ２を設け、包装シートのフィルムに形成された折り目を有する左側面折り目部１１と右側面折り目部１２を備え、前記袋体の前記上面開口部から前記袋体の内部に被包装物を収納し、前記袋体の前記下面シームｓｍ２に直交し、前記袋体の上面開口部を封止する上面シームｓｍ３を形成し、前記袋体が四面立体状に形成されたものにおいて、左側面折り目部１１の折り目及び右側面折り目部１２の折り目を人為的に引き裂き可能にして、前記袋体を左右に開封できるようにした四面立体包装体ＰＣとした。【選択図】図６
2013154956.tif 000002
【特許請求の範囲】
【請求項１】
フィルムよりなる包装シートで構成された袋体、前記袋体は上面開口部、前記上面開口部に対向する前記袋体の下面に下面シームを設け、前記包装シートの前記フィルムに形成された折り目を有する左側面折り目部と前記左側面折り目部に対向し、前記包装シートの前記フィルムに形成された折り目を有する右側面折り目部を備え、前記袋体の前記上面開口部から前記袋体の内部に被包装物を収納し、前記袋体の前記下面シームに対向し、前記袋体の前記下面シームに直交し、前記袋体の上面開口部を封止する上面シームを形成し、前記袋体が四面立体状に形成されたものにおいて、前記左側面折り目部の前記折り目及び前記右側面折り目部の前記折り目を人為的に引き裂き可能にして、前記袋体を左右に開封できるようにしたことを特徴とする四面立体包装体。
【請求項２】
請求項１の四面立体包装体において、上記包装シートの上記フイルムは、ポリプロピレン、ポリエチレン、ナイロン、ポリエステル等の１層構造のプラスチックフィルムであることを特徴とする四面立体包装体。
【請求項３】
請求項１の四面立体包装体において、前記左側面折り目部の前記折り目の上端及び前記右側面折り目部の前記折り目の上端にそれぞれ切り欠き部を有することを特徴とする四面立体包装体。
【請求項４】
請求項１の四面立体包装体において、前記左側面折り目部の前記折り目及び前記右側面折り目部の前記折り目に脆弱部を形成したことを特徴とする四面立体包装体。
【請求項５】
折り目を有する左側面折り目部と折り目を有する右側面折り目部を設けたフィルムよりなる包装シートを準備し、前記包装シートに対向する側面にひだ部を形成し、前記ひだ部に縦シームを形成して、前記包装シートに上面開口部を形成し、前記左側面折り目部、前記右側面折り目部と前記上面開口部を有する袋体を形成し、前記袋体の前記上面開口部に対向する前記袋体の下面に下面シームを形成し、前記袋体の前記上面開口部から前記袋体の内部に被包装物を収納した後、前記袋体の前記上面開口部を封止する上面シールを形成し、前記被包装物を収納した前記袋体を四面立体包装体に形成し、前記左側面折り目部の前記折り目及び前記右側面折り目部の前記折り目を人為的に引き裂き可能にして、前記袋体を左右に開封できるようにしたことを特徴とする四面立体包装方法。
【請求項６】
請求項５の四面立体包装方法において、上記包装シートの上記フイルムは、ポリプロピレン、ポリエチレン、ナイロン、ポリエステル等の１層構造のプラスチックフィルムであることを特徴とする四面立体包装方法。
【請求項７】
請求項５の四面立体包装方法において、前記左側面折り目部の前記折り目の上端及び前記右側面折り目部の前記折り目の上端にそれぞれ切り欠き部を有することを特徴とする四面立体包装方法。
【請求項８】
請求項５の四面立体包装方法において、前記左側面折り目部の前記折り目及び前記右側面折り目部の前記折り目に脆弱部を形成したことを特徴とする四面立体包装方法。
【発明の詳細な説明】
【発明の詳細な説明】
【技術分野】
【０００１】  本発明は、四面立体包装体（トラス状立体包装体）及び四面立体包装方法に関するものである。本発明は、１層構造のフィルムよりなる包装シートを用いて四面立体包装体を形成する四面立体包装体及び１層構造のフィルムよりなる包装シートを用いて四面立体包装体を製作する四面立体包装方法に関するものである。【０００２】  本発明は、例えば菓子、加工食品、農産物等の被包装物が充填される包装体が四面立体状であってフィルムよりなる包装シートを用いる四面立体包装体及び例えば菓子、加工食品、農産物等の被包装物が充填される包装体が四面立体状であってフィルムよりなる包装シートを用いる四面立体包装方法に関するものである。
【背景技術】
【０００３】  四面立体包装体は、平袋に比較し、シート面積が最小で最大の内容積の包装体を得ることができるので、飲料の特に牛乳パックや一口サイズのつまみ包装等に使用されている。前者の牛乳パックは、内面がラミネートされた硬質の紙でできており、上方に開けた小孔にストローを差し込んで飲むようになっているのが殆どで、指等で開封して飲むようにはなっていない。後者のキオスク（登録商標）等で販売されている一口サイズのつまみ包装体は、薄いプラスチックフィルムで成形された四面立体包装体の一部を引き裂いて開封し、被包装物である収納物を取り出して食するようになっている。【０００４】  四面立体状の包装体は、前述のように、平袋に比して内容積が最大で、しかもトラス構造であることから強度が大きく、外力に対して潰れ難いという特長を有している。従って、積み重ね保管中や輸送中に潰れて損傷し、収納物の品質を著しく損なう食物等の包装に好適であるといえる。【０００５】  本発明者は、フィルムよりなる包装シートで構成される四面立体包装体を指で開封容易にし、引き裂いて開封したときに皿形になり、そのまま容器としても使用できる四面立体包装体を特許文献１（ＷＯ２００７／１１９７８０Ａ１号特許公報）で提案している。【０００６】  特許文献１（ＷＯ２００７／１１９７８０Ａ１号特許公報）に示されている四面立体包装体は、プラスチックフィルムからなる包装シートを有する袋体で構成され、前記袋体は左側面熱溶着シーム、前記左側面熱溶着シームに対向する右側面熱溶着シーム、前記袋体の下面折り曲げ部、前記袋体の前記下面折り曲げ部に対向して前記袋体の上面に設けられた上面開口部を有し、前記下面折り曲げ部に対向する前記上面開口部を封止して、前記下面折り曲げ部と直交する方向に上面熱溶着シームを形成した四面立体包装体である。【０００７】  特許文献１（ＷＯ２００７／１１９７８０Ａ１号特許公報）記載の技術は、開封したときに包装体がそのまま皿になるので、食器類を使用することなく食することができる。食器類を洗う必要がなく、手間が省けると共に、洗剤や水も節約できるもので環境に易しいものとなっている。又、平袋で使用されている発泡スチロール製のトレイが不要になり、トレイの使用に起因する環境破壊や廃棄処分に掛かるコスト、とりわけ焼却による炭酸ガスの放出が抑えられ、更に包装体そのものの輸送性が向上する技術といえる。【０００８】  一方、ひだ付き縦ピロー包装体の製造方法として、特許文献２（特開２００３−２１１５６４号特許公報）に示すように、原反ロールから包装シートを繰り出し、ひだを所要寸法の配列ピッチとなるように形成し、次いでひだが付いた包装シートをフォーマに掛けてこのフォーマの内側に通された被包装物充填筒であるシリンダをほぼ一巻き筒状に曲成して包装シートの両端縁を接続シールして熱溶着シームを形成する。【０００９】  特許文献２（特開２００３−２１１５６４号特許公報）に示されるひだ付き縦ピロー包装体の製造方法では、シリンダの下方で包装体のひだから所要離れた位置を２条の熱溶着シーラによって２条の熱溶着シームを施すとともに２条の熱溶着シームの間に袋切り離しのカットを入れ、切り離された包装体を上下逆にして���る。このひだ付き縦ピロー包装体の製造方法では、ひだが底面部の周縁に垂下して底面部を隠し安定したタイトな包装形態を感じさせるひだ付き包装体を連続的に量産できる。
【先行技術文献】
【特許文献】
【特許文献１】国際公開番号  ＷＯ  ２００７／１１９７８０  Ａ１
【特許文献２】特開２００３−２１１５６４号特許公報
【発明の概要】
【発明が解決しようとする課題】
【００１０】  フィルムよりなる包装シートで構成された袋体を用いた四面立体包装体において、袋体に対向して配置されそれぞれが人為的に引き裂き可能な引き裂き部を容易に形成することが強く望まれていた。【００１１】  フィルムよりなる包装シートで構成された袋体を用いた四面立体包装体において、袋体に対向して配置されそれぞれが人為的に引き裂き可能な引き裂き部を効率よく形成することが強く望まれていた。【００１２】  フィルムよりなる包装シートで構成された袋体を用いた四面立体包装方法において、袋体に対向して配置されそれぞれが人為的に引き裂き可能な引き裂き部を容易に形成することが強く望まれていた。【００１３】  フィルムよりなる包装シートで構成された袋体を用いた四面立体包装方法において、袋体に対向して配置されそれぞれが人為的に引き裂き可能な引き裂き部を効率よく形成することが強く望まれていた。【００１４】  本発明は、上述の課題を解決するためになされたものであり、その目的は包装シートからなる袋体に対向して配置されそれぞれが人為的に容易に引き裂き可能な引き裂き部を有する袋体より構成された四面立体包装方法体にある。【００１５】  本発明は、上述の課題を解決するためになされたものであり、その目的は包装シートからなる袋体に対向して配置されそれぞれが人為的に効率よく引き裂き可能な引き裂き部を有する袋体より構成された四面立体包装体にある。【００１６】  本発明は、上述の課題を解決するためになされたものであり、その目的は包装シートからなる袋体に対向して配置されそれぞれが人為的に容易に形成するよく引き裂き可能な引き裂き部を有する袋体より構成された四面立体包装方法にある。【００１７】  本発明は、上述の課題を解決するためになされたものであり、その目的は包装シートからなる袋体に対向して配置されそれぞれが人為的に効率よく引き裂き可能な引き裂き部を有する袋体より構成された四面立体包装方法にある。
【課題を解決するための手段】
【００１８】  本発明は、フィルムよりなる包装シートで構成された袋体、前記袋体は上面開口部、前記上面開口部に対向する前記袋体の下面に下面シームを設け、前記包装シートの前記フィルムに形成された折り目を有する左側面折り目部と前記左側面折り目部に対向し、前記包装シートの前記フィルムに形成された折り目を有する右側面折り目部を備え、前記袋体の前記上面開口部から前記袋体の内部に被包装物を収納し、前記袋体の前記下面シームに対向し、前記袋体の前記下面シームに直交し、前記袋体の上面開口部を封止する上面シームを形成し、前記袋体が四面立体状に形成されたものにおいて、前記左側面折り目部の前記折り目及び前記右側面折り目部の前記折り目を人為的に引き裂き可能にして、前記袋体を左右に開封できるようにしたことを特徴とする四面立体包装体にある。【００１９】  本発明は、折り目を有する左側面折り目部と折り目を有する右側面折り目部を設けたフィルムよりなる包装シートを準備し、前記包装シートに対向する側面にひだ部を形成し、前記ひだ部に縦シームを形成して、前記包装シートに上面開口部を形成し、前記左側面折り目部、前記右側面折り目部と前記上面開口部を有する袋体を形成し、前記袋体の前記上面開口部に対向する前記袋体の下面に下面シームを形成し、前記袋体の前記上面開口部から前記袋体の内部に被包装物を収納した後、前記袋体の前記上面開口部を封止する上面シールを形成し、前記被包装物を収納した前記袋体を四面立体包装体に形成し、前記左側面折り目部の前記折り目及び前記右側面折り目部の前記折り目を人為的に引き裂き可能にして、前記袋体を左右に開封できるようにしたことを特徴とする四面立体包装方法にある。
【発明の効果】
【００２０】  本発明によれば、包装シートからなる袋体に対向して配置されそれぞれが人為的に容易に引き裂き可能な引き裂き部を有する袋体より構成された四面立体包装体が得られた。【００２１】  本発明によれば、包装シートからなる袋体に対向して配置されそれぞれが人為的に効率よく引き裂き可能な引き裂き部を有する袋体より構成された四面立体包装体が得られた。【００２２】  本発明によれば、包装シートからなる袋体に対向して配置されそれぞれが人為的に容易に引き裂き可能な引き裂き部を有する袋体より構成された四面立体包装方法が得られた。【００２３】  本発明によれば、包装シートからなる袋体に対向して配置されそれぞれが人為的に効率よく引き裂き可能な引き裂き部を有する袋体より構成された四面立体包装方法が得られた。
【図面の簡単な説明】
【００２４】
【図１】本発明の一実施例の四面立体包装体の袋体を構成する包装シートで、ひだ付き縦ピロー包装機の原反ロールに巻かれてフォーマに供給する１個の四面立体包装体の平袋体を形成する包装シートの平面図である。
【図２】本発明の一実施例の四面立体包装体の袋体を形成する包装シートであり、ひだ付き縦ピロー包装機のフォーマに供給されて縦シーラで加工され１個のシームを形成した包装シートの断面図である。
【図３】本発明の一実施例の四面立体包装体の平袋体を形成する１個のシームを有する包装シートよりなる平袋体の平面図である。
【図４】本発明の一実施例の四面立体包装体の１個の縦シームを有する包装シートよりなる平袋体の斜視図である。
【図５】本発明の一実施例の四面立体包装体を構成する包装シートよりなる平袋体を有する四面立体包装体の平面図である。
【図６】本発明の一実施例の四面立体包装体を構成する包装シートよりなる袋体を有する四面立体包装体の側面図である。
【図７】本発明の一実施例の四面立体包装体を構成する包装シートよりなる袋体を有する四面立体包装体の側面折り目部の折り目を引き裂いている斜視図である。
【図８】本発明の一実施例の四面立体包装体を構成する包装シートよりなる袋体を有する四面立体包装体の側面折り目部の折り目を引き裂いて舟形に形成した斜視図である。
【発明を実施するための形態】
【００２５】  以下、本発明の一実施例である四面立体包装体の構成とその製造工程及び包装方法等について詳細に説明する。本発明の一実施例である四面立体包装体は、最初は平袋体から構成される。まず、平袋体の製造工程の一例を図１、図２、図３及び図４に基づいて説明する。
【００２６】  図１は、本発明の一実施例の四面立体包装体の袋体を形成する包装シートであり、ひだ付き縦ピロー包装機の原反ロールに巻かれてフォーマに供給する１個の四面立体包装体の平袋体を形成する包装シートの平面図である。図１において、包装シートＳＨは、透明、半透明、或いは不透明の１層構造のプラスチックフィルムを有する包装シートＳＨである。包装シートＳＨとしては、例えば、ポリプロピレン、ポリエチレン、ナイロン、ポリエステルの熱溶着性の１層構造のプラスチックフィルム等が採用される。
【００２７】  本発明の一実施例の四面立体包装体の袋体を形成する包装シートＳＨはまず平面状の１層構造のプラスチックフィルムよりなる包装シートＳＨを準備する。この平面状の包装シートＳＨの両側面端縁部を重ねて、重ねた包装シートＳＨを両折機等の折り機によって折り曲げる。重ねた包装シートＳＨに折り目を形成する加工を行なう。包装シートＳＨの両側面端縁部に重なったひだ部が形成される。そして、それぞれ折り目を付けた２個の折り目部１１（辺Ａ−Ｂ）と折り目部１２（辺Ｃ−Ｄ）を有する包装シートＳＨの重ねたひだ部を開いて伸ばし、図１に示す元の状態の平面状の包装シートＳＨに戻す。
【００２８】  このように、本発明では、ひだ付き縦ピロー包装機の原反ロールに巻かれてフォーマに供給する前に包装シートＳＨのフィルムに予め折り目部の折り目形成加工を施しておく。本発明では、包装シートＳＨのフィルムを折り畳んだ上、フィルムの左側面折り目部（辺Ａ−Ｂ）１１の折り目とフィルムの右側面折り目部（辺Ｃ−Ｄ）１２の折り目を強く折って、フィルムに折り目を強く付けることが肝要である。
【００２９】  包装シートＳＨのフィルムの左側面折り目部（辺Ａ−Ｂ）１１の折り目と右側面折り目部（辺Ｃ−Ｄ）１２の折り目が手で容易に効率よく引き裂けるように、フィルムの左側面折り目部１１の折り目と右側面折り目部１２の折り目を熱、圧力、超音波、レーザー、エッチング等の手段によって、左側面折り目部１１のフィルムの折り目と右側面折り目部１２のフィルムの折り目の引き裂き強度を弱くし、包装シートＳＨのフィルムの折り目に脆弱部を設けることも場合により必要である。
【００３０】  ひだ付き縦ピロー包装機の原反ロールに巻かれてフォーマに供給する前の包装シートＳＨを図１に示す。包装シートＳＨは、その内側に両折機等の折り機によって形成された内側に垂直方向に平行するフィルムの折り目部１１（辺Ａ−Ｂ）と折り目部１２（辺Ｃ−Ｄ）を有する。包装シートＳＨの両側縁端部は、包装体の左ひだ部１３ａ及び右ひだ部１３ｂに形成する。
【００３１】  実際には、長尺の包装シートＳＨをひだ付き縦ピロー包装機のフォーマのシリンダの外周にロール状に巻き、巻かれた包装シートＳＨのフィルムを適宜裁断して使用し、１個の四面立体包装体を製作する。図１に示すように、１個の四面立体包装体の平袋体を形成する包装シートＳＨは横幅ｗ０を有している。ｗ１は包装シートＳＨの左側面折り目部１１と右側面折り目部１２間の幅、ｗ２は左ひだ部１３ａ及び右ひだ部１３ｂの幅、ｗ３は左側面折り目部１１と左ひだ部１３ａ間の幅及び右側面折り目部１２と右ひだ部１３ｂ間の幅である。
【００３２】  ここで、包装シートＳＨのフィルムの左側面折り目部１１と右側面折り目部１２間の幅ｗ１は、ひだ付き縦ピロー包装機のシリンダの外周長の２分の１である半周長であり、左側面折り目部１１とひだ部１３ａ間の幅ｗ３及び右側面折り目部１２とひだ部１３ｂ間の幅ｗ３の合計は包装シートＳＨの左側面折り目部１１と右側面折り目部１２間の幅ｗ１である（ｗ３＋ｗ３＝ｗ１）。
【００３３】  図２は、本発明の一実施例の四面立体包装体の平袋体を形成する包装シートであり、ひだ付き縦ピロー包装機のフォーマに供給され縦シーラで加工され、縦シームを形成した包装シートの断面図である。包装シートＳＨは、ひだ付き縦ピロー包装機のフォーマに供給され、シリンダの外周に巻かれる。シリンダの外周に巻かれた包装シートＳＨのフィルムの左ひだ部１３ａ及び右ひだ部１３ｂは、シリンダに対向して重ねられる。
【００３４】  ひだ付き縦ピロー包装機に備えられた縦シーラを用いて、包装シートＳＨの重ねられたフィルムの左ひだ部１３ａ及び右ひだ部１３ｂの一部にシリンダに対し垂直方句に延びる縦シームｓｍ１を形成する。包装シートＳＨのフィルムは熱溶着手段等により縦シームｓｍ１を施され、封止される。縦ｓｍ１シームは、超音波や電磁誘導波による熱融着の他、ニクロム線に代表される熱線方法によっても封止できる。
【００３５】  図３は、本発明の一実施例の四面立体包装体の平袋体を形成する１個のシームを有する包装シートで形成された平袋体の平面図である。１枚の包装シートＳＨによって１個の平袋体ＦＢを形成している。この平袋体ＦＢは、左側面折り目部１１、この左側面折り目部１１に対向する右側面折り目部１２、上部に上面開口部１４、この上面開口部１４に対向する下面開口部１５で構成されている。左ひだ部１３ａ及び右ひだ部１３ｂは、上面開口部１４と下面開口部１５間でほぼ中央部に垂直方向に延びている。
【００３６】  包装シートＳＨのフィルムの左ひだ部１３ａ及び右ひだ部１３ｂは折り畳まれており、フィルムの折り畳まれた左ひだ部１３ａ及び右ひだ部１３ｂの左側に縦シームｓｍ１を形成している。折り畳まれた左ひだ部１３ａ及び右ひだ部１３ｂの右側は包装シートＳＨ同士が単に重ねられている。フィルムの左ひだ部１３ａ及び右ひだ部１３ｂは、包装シートＳＨの横方向に平らに重ねて置かれている。
【００３７】  図４は、本発明の一実施例の四面立体包装体の平袋体を形成する１個のシームを有する包装シートよりなる平袋体の斜視図である。図４に示すように、平袋体ＦＢはシートＳＨのフィルムを折り畳んで、左側面折り目部１１と右側面折り目部１２を構成している。左側面折り目部１１は辺Ａ−Ｂで示される。右側面折り目部１２は左側面折り目部１１に対向して設けられ、辺Ｃ−Ｄで示される。
【００３８】  図４に示す包装シートＳＨのフィルムに構成された平袋体ＦＢは、フィルムの左側面折り目部１１（辺Ａ−Ｂ）と右側面折り目部１２（辺Ｃ−Ｄ）は対向して配置されている。又、縦シームｓｍ１の上側溶着角部Ｆに対向して辺Ａ−Ｄの中間部に角部Ｅが形成され、下側溶着角部Ｈに対向して辺Ｂ−Ｃの中間部に角部Ｇが形成される。
【００３９】  ひだ付き縦ピロー包装機に備えられた横シーラを用いて、平袋体ＦＢの包装シートＳＨの下面開口部１５に水平状の下面シームｓｍ２を形成する。包装シートＳＨの下面開口部１５は下面シームｓｍ２によって封止される。従って、平袋体ＦＢは、上面開口部１４、下面シームｓｍ２、左側面折り目部１１と右側面折り目部１２及び縦シームｓｍ１で構成される。平袋体ＦＢの包装シートＳＨに熱溶着手段等で下面シームｓｍ２を施され、封止される。下面シームｓｍ２は、超音波や電磁誘導波による熱融着の他、ニクロム線に代表される熱線方法によっても封止できる。
【００４０】  平袋体ＦＢの上面開口部１４を大きく広げ、袋詰機等からベビーリーフ等の野菜、赤飯、ピラフ等のご飯物、おつまみ等の食物やその他の食品の被包装物である収納物を収納する。被包装物としては、プラスチックモデルの部品やネジ等の小物等も考えられ、その種類の品物でも袋体ＦＢに収納できる。
【００４１】  次に、第４図に示した平袋体ＦＢを使用して四面立体包装体を形成するための手順及び方法を第５図及び第６図に基づき説明する。
【００４２】  図５は、本発明の一実施例の四面立体包装体を構成する包装シートよりなる平袋体の平面図である。被包装物である収納物が上面開口部１４から平袋体ＦＢに収納された後、図５に示すように、平袋体ＦＢの角部Ａと角部Ｄとの合わせ作業を実施する。この結果、左側面折り目部１１の上部角部Ａと右側面折り目部１２の上部角部Ｄに合わせ、後方角部Ｅと前方角部Ｆの間を熱溶着手段等によって上面シームｓｍ３（辺Ｅ−Ｆ）を形成して接合する。包装シートＳＨは熱溶着手段により上面シームｓｍ３を施され、封止される。上面シームｓｍ３は、超音波や電磁誘導波による熱融着の他、ニクロム線に代表される熱線方法によっても封止できる。
【００４３】  このように、平袋体ＦＢの上面開口部１４は上面シームｓｍ３（辺Ｅ−Ｆ）で封止される。袋体ＦＢを封止する上面シームｓｍ３（辺Ｅ−Ｆ）は、辺Ｂ−Ｃにほぼ直交して平袋体ＦＢの上面に設けられる。この結果、トラス状立体構成の四面立体包装体ＰＣが得られる。
【００４４】  図６は、本発明の一実施例の四面立体包装体を構成する包装シートよりなる袋体を有する四面立体包装体の側面図である。図６において、４つの角部である角部Ｅ、角部Ｆ、角部Ｂ、角部Ｃを含む４つの側面を有するトラス構成の四面立体包装体ＰＣが得られた。
【００４５】  四面立体包装体ＰＣは、左側面折り目部１１、右側面折り目部１２、下面折り曲げ部（辺Ｂ−Ｃ）１２を有し、上面シームｓｍ３は熱溶着方法で形成される。四面立体包装体ＰＣにおいて、上面シームｓｍ３（辺Ｅ−Ｆ）は袋体ＦＢの下面折り曲げ部（辺Ｂ−Ｃ）１２に対し直交している。
【００４６】  四面立体包装体ＰＣは、四面立体形状でトラス状四面立体包装体に構成されている。四面立体包装体ＰＣは、上面シームｓｍ３（辺Ｅ−Ｆ）、左側面折り目部１１と下面シームｓｍ２及び右側面折り目部１２から構成されている。上面シームｓｍ３（辺Ｅ−Ｆ）は、下面シームｓｍ２にほぼ直交して袋体ＦＢに設けられる。
【００４７】  図６において、四面立体包装体ＰＣは、フィルムの左側面折り目部１１の上端に逆三角状に切り欠かれた切り欠き部１６ａと右側面折り目部１２の上端に逆三角状に切り欠かれた切り欠き部１６ｂを設けている。切り欠き部１６ａと切り欠き部１６ｂの切り欠きの深さは、上面シームｓｍ３のシーム縦幅より短く、上面シームｓｍ３のシームを貫通していない。更に、四面立体包装体ＰＣは、角部Ｂと角部Ｃのそれぞれに四面立体包装体ＰＣの補強部１７ａ、１７ｂを設けている。
【００４８】  上述の本発明の一実施例では、左側面折り目部１１及び右側面折り目部１２の切り欠き部は逆三角状に切り欠かれているが、他の形状、例えばＵ字状の切り欠き部の他、単なる直線状の切り込み部でもよい。これらの切り込み部を含む切り欠き部は、左側面折り目部１１及び右側面折り目部１２のそれぞれの折り目の引き裂きの開始箇所に設けられて四面立体包装体ＰＣの袋体ＦＢの引き裂きの目安箇所となる。
【００４９】  図７は、本発明の一実施例の四面立体包装体を構成する包装シートよりなる袋体を有する四面立体包装体の折り目部のフィルムの折り目を引き裂いている斜視図である。本発明の一実施例の四面立体包装体ＰＣから被包装物である収納物の取り出しについて説明する。
【００５０】  まず、四面立体包装体ＰＣの左側面折り目部１１の切り欠き部１６ａと右側面折り目部１２の切り欠き部１６ｂの箇所を両手の指で持つ。次いで、四面立体包装体ＰＣの左側面折り目部１１のフィルムの折り目と右側面折り目部１２のフィルムの折り目を折り目に沿って上方から下方に切り裂く。この時、左側面折り目部１１のフィルムの折り目と右側面折り目部１２のフィルムの折り目は上方から下方に折り目に沿って順次引き裂かれる。
【００５１】  この結果、図７に示すように、角部Ａは角部Ａ１と角部Ａ２に分離し、角部Ｄは角部Ｄ１と角部Ｄ２に分離する。上面シームｓｍ３は、左上面シームｓｍ３ａと右上面シームｓｍ３ｂに分離する。四面立体包装体ＰＣの切り欠き部１６ａから左側面折り目部１１のフィルムの折り目を破壊、剥がして下方に折り目に沿って容易に引き裂き、四面立体包装体ＰＣの切り欠き部１６ｂから右側面折り目部１２のフィルムの折り目を破壊、剥がして下方に折り目に沿って容易に引き裂くことができる。このようにして、四面立体包装体ＰＣの左側面折り目部１１のフィルムの折り目と右側面折り目部１２のフィルムの折り目を人為的に折り目に沿って容易に左右に引き剥がし、引き裂いて、四面立体包装体ＰＣを簡単に開封できる。
【００５２】  図８は、本発明の一実施例の四面立体包装体を構成する包装シートよりなる袋体を有する四面立体包装体の折り目部の折り目を引き裂いて舟形に形成した斜視図である。図８において、左側面折り目部１１の折り目と右側面折り目部１２のフィルムの折り目は十分に下方に折り目に沿って引き裂かれる。四面立方包装体ＰＣは補強部１７ａ、１７ｂを利用して皿状を呈している。このため、四面立方包装体ＰＣは食器として供することができる。開封後は、四面立方包装体ＰＣ自身が食器として機能するので、食するための食器等を別に用意する必要もない。
【００５３】  このように本発明の一実施例によれば、とりわけ四面立方包装体ＰＣの左側面折り目部１１のフィルムの折り目と右側面折り目部１２のフィルムの折り目を十分に引き剥がし、引き裂いて開封したときに、食器の機能を有する大容量の四面立体包装体ＰＣにおいて効果的である。
【００５４】  上述の本発明の一実施例では、平袋体のひだ部を左側面折り目部と右側面折り目部とのほぼ中間部に位置させたが、これに限定されずにひだ部を平袋体の左側又は右側に偏らせて位置させてもよい。ひだ部が偏らせて位置された平袋体では、縦シームの箇所は四面立体包装体の角部を形成しない。この場合、四面立体包装体の側面の一辺は縦シームを含まない平袋体の単なる折り曲げ部である。
【符号の説明】
【００５５】  １１・・・左側面折り目部      １２・・・右側面折り目部      １３ａ・・・左ひだ部      １３ｂ・・・右ひだ部      １４・・・上面開口部      １５・・・下面開口部      １６ａ、１６ｂ・・・切り欠き部      １７ａ、１７ｂ・・・補強部      Ａ、Ａ１、Ａ２、Ｂ、Ｃ、Ｄ、Ｄ１、Ｄ２、Ｅ、Ｆ、Ｇ、Ｈ・・・角部      ＦＢ・・・平袋体      ＰＣ・・・四面立体包装体      ＳＨ・・・包装シート      ｓｍ１・・・縦シーム      ｓｍ２・・・下面シーム      ｓｍ３、ｓｍ３ａ、ｓｍ３ｂ・・・上面シーム
【図１】
2013154956.tif 000003
【図２】
2013154956.tif 000004
【図３】
2013154956.tif 000005
【図４】
2013154956.tif 000006
【図５】
2013154956.tif 000007
【図６】
2013154956.tif 000008
【図７】
2013154956.tif 000009
【図８】
2013154956.tif 000010